(57)【特許請求の範囲】
【請求項１】
扁平状の発熱体と、該発熱体の両面を含む全体を被覆する被覆材とを備えており、
前記発熱体は、その平面視において、両側部それぞれの中央部に括れ部を有している顔用温熱具であり、
前記被覆材は、肌対向側の一面を構成するシート材と、非肌対向側の他面を構成するシート材とから形成されており、その形状が、前記顔用温熱具の形状を形成するように、逆Ｌ字状又はＬ字状の形状であり、
前記発熱体については、前記括れ部が、使用者の頬骨の頂部を避けるように配され、前記両側部それぞれの前記括れ部の頂部間において、最も幅が狭くなっている顔用温熱具。
【請求項２】
前記発熱体は、前記顔用温熱具の使用時に、使用者の目の下の部位から使用者の目尻を含む部位に亘って配され、前記両側部それぞれの前記括れ部が、使用者の頬骨に対応する部位に配されるのに適した形状である請求項１に記載の顔用温熱具。
【請求項３】
前記肌対向側の一面を構成する被覆材は非透水性を有し、前記非肌対向側の他面を構成する被覆材は通気性を有する請求項１又は２に記載の顔用温熱具。
【請求項４】
前記肌対向側の一面を構成する被覆材の外面上に、該被覆材と同形同大の薬液保持用シートが配されている請求項１〜３の何れかに記載の顔用温熱具。
【請求項５】
請求項１〜４の何れかに記載の一対の顔用温熱具と、使用時に使用者の両目の周囲を被覆する横長のマスク本体とを備え、一対の前記顔用温熱具それぞれが、前記マスク本体の肌当接面上における前記使用者の両目それぞれの目元に対応する部分に配されている顔用温熱マスク。
【発明の詳細な説明】
【技術分野】
【０００１】
本発明は、目元等の顔面の所望の部位に熱を付与する顔用温熱具に関する。
【背景技術】
【０００２】
従来、皮膚のかさつき、小じわ、くま、くすみ等の改善のために、肌に化粧料や薬剤が塗布し、あるいは化粧料や薬剤が塗布されたシートとともにシート状発熱体を顔面に装着し、発熱体から生じる熱を利用して、化粧料や薬剤の肌への浸透を促進させ技術が提案されている。
【０００３】
本出願人は、先に、互いに分離可能なシート状化粧料とシート状発熱具とを備える温熱化粧具を提案した（特許文献１参照）。特許文献１に記載の温熱化粧具によれば、均一な温熱を顔面の所望の部位に付与することができるが、顔面の所望の部位に更にフィットし易く、使用感を更に高めたいとの要求がある。
【０００４】
所望の部位にフィットし易くする技術として、例えば、特許文献２には、含水発熱組成物が収納された複数個の区分発熱部を、間隔を置いて設けられた発熱体が記載されている。また、特許文献３には、発熱部を内包する複数個の袋体を島状に配置している発熱体が記載されている。
【０００５】
しかしながら特許文献２に記載の発熱体のように、複数個の区分発熱部を、間隔を置いて設けたり、特許文献３に記載の発熱体のように、発熱部を内包する複数個の袋体を、間隔を置いて配置したりする、所謂セルタイプの発熱体は、隣り合う発熱部どうしの間の部分が温熱に寄与し難く、個々の発熱部の発熱量にバラツキが生じると、均一な温熱を顔面の所望の部位に付与することが難しい。
【先行技術文献】
【特許文献】
【０００６】
【特許文献１】特開２００８−２００４３５号公報
【特許文献２】特開２００９−３４４８２号公報
【特許文献３】特開２００６−５１１９１号公報
【発明の概要】
【発明が解決しようとする課題】
【０００７】
したがって本発明の課題は、前述した欠点を解消し得る顔用温熱具を提供することにある。
【課題を解決するための手段】
【０００８】
本発明は、扁平状の発熱体と、該発熱体の両面を含む全体を被覆する被覆材とを備えた顔用温熱具であって、前記発熱体は、その平面視において、両側部それぞれの中央部に括れ部を有している顔用温熱具を提供することにより、前記課題を解決したものである。
【発明の効果】
【０００９】
本発明の顔用温熱具は、発熱量にバラツキが生じ難く、均一な温熱を顔面の所望の部位に付与することができる。また、本発明の顔用温熱具は、顔面の所望の部位に更にフィットし易く、使用感を更に高めることができる。
【図面の簡単な説明】
【００１０】
【図１】図１は、本発明の第１実施形態の顔用温熱具を一対設けた顔用温熱マスクの肌当接面側の平面図である。
【図２】図２は、図１に示す顔用温熱マスクにおける右側の第１実施形態の顔用温熱具の平面図である。
【図３】図３は、図２のＬ１−Ｌ１線断面図である。
【図４】図４は、図１に示す顔用温熱マスクの使用方法の説明図である。
【図５】図５は、本発明の第２実施形態の顔用温熱具の平面図（図２相当図）である。
【図６】図６は、図５のＬ２−Ｌ２線断面図（図３相当図）である。
【図７】図７は、図５に示す発熱体の製造方法を説明する図である。
【図８】図８は、図５に示す顔用温熱具の使用方法の説明図である。
【図９】図９は、本発明の別の実施形態を示す図である。
【図１０】図１０は、本発明の更に別の実施形態を示す図である。
【発明を実施するための形態】
【００１１】
以下、本発明の顔用温熱具について、その好ましい第一実施形態に基づき図面を参照しながら説明する。第１実施形態の顔用温熱具１Ａは、図１に示すように、顔用温熱マスク１０に配されて使用される。第１実施形態の顔用温熱具１Ａは、図２，図３に示すように、扁平状の発熱体２と、発熱体２の両面２ａ，２ｂを含む全体を被覆する被覆材３とを備えており、顔用温熱具１Ａにおいては、被覆材３の一面３ａの外面上に配された薬剤保持用シート４とを備えている。顔用温熱マスク１０は、図１に示すように、中心線ＣＬに対して略左右対称に形成されている。従って以下の説明では、左右対称な部分については、主に、右側について説明する。尚、図中に示す「Ｙ」方向とは、中心線ＣＬと平行な方向（縦方向）であり、「Ｘ」方向とは、中心線ＣＬに垂直な方向（幅方向）である。
【００１２】
顔用温熱マスク１０は、図１に示すように、一対の顔用温熱具１Ａ，１Ａと、一対の顔用温熱具１Ａ，１Ａを使用者に固定するためのマスク本体１１とを備えている（図４参照）。マスク本体１１は、使用時に使用者の両目の周囲を被覆する横長の形状に形成されている。一対の顔用温熱具１Ａ，１Ａそれぞれは、図１に示すように、マスク本体１１の肌当接面１１ａ上における使用者の両目それぞれの目元に対応する部分に固定されている。ここで、使用者の「目の周囲」とは、開眼状態における眼瞼裂の外側の領域をいい、眼窩の領域を含み且つそれよりも広い領域を指す。また、「使用者の目元に対応する部分」とは、図１に示すように、マスク本体１１の肌当接面１１ａ上において、使用者の目頭（図４中の符号Ｅａで示す部分）と目尻（図４中の符号Ｅｂで示す部分）との間の使用者の目の下の部位（図４中の符号Ａで示す部分）から使用者の目尻を含む部位（図４中の符号Ｂで示す部分）に亘る部分に対応する部分を示す。
【００１３】
顔用温熱具１Ａは、平面視して、図２に示すように、丸みを帯びた略逆Ｌ字状の形状をしている。顔用温熱具１Ａは、図２，図３に示すように、扁平状の発熱体２と、発熱体２の両面２ａ，２ｂを含む全体を被覆する被覆材３と、被覆材３の一面３ａの外面上に配された薬剤保持用シート４とを備えている。具体的には、図２，図３に示すように、第１実施形態の顔用温熱具１Ａは、肌対向側の一面２ａ及び非肌対向側の他面２ｂを有する扁平状の発熱体２と、発熱体２の全体を覆う大きさで、発熱体２を内部に収容する被覆材３と、肌対向側の一面３ａの外面上に配され、被覆材３と同形同大の薬剤保持用シート４とを備えている。また、第１実施形態の顔用温熱具１Ａは、肌対向側の一面３ａ及び非肌対向側の他面３ｂをそれぞれ構成する被覆材３と、薬剤保持用シート４とを熱融着や接着剤等の接合手段によって互いに接合して形成された環状に閉じた形状の環状接合部５を備えている。環状接合部５は、第１実施形態においては、発熱体２の外縁と、被覆材３及び薬剤保持用シート４それぞれの外縁との間に形成されており、顔用温熱具１Ａの外縁が環状接合部５の接合手段によって硬くなって使用者の肌を傷つけないように、顔用温熱具１Ａには、外周全域に未接合部６が設けられている。
尚、顔用温熱マスク１０の左側に配される顔用温熱具１Ａは、丸みを帯びた略Ｌ字状の形状である以外、上述した右側の丸みを帯びた略逆Ｌ字状の形状の顔用温熱具１Ａと同様である。
【００１４】
顔用温熱具１Ａは、Ｙ方向の最も長い長さが６０〜１００ｍｍであり、Ｙ方向の最も短い長さが２０〜５０ｍｍである。また、顔用温熱具１Ａは、Ｘ方向の最も長い長さが６０〜９０ｍｍであり、Ｘ方向の最も短い長さが２０〜４０ｍｍである。環状接合部５の接合幅は、０．５〜３ｍｍである。未接合部６の間隔は、使用者の肌を傷つけない観点から、１ｍｍ以上であることが好ましく、見栄えの観点から、１０ｍｍ以下であることが好ましい。
【００１５】
顔用温熱具１Ａは、その厚みに関しては特に制限されないが、良好な使用感を得る観点からは薄いことが好ましく、０．３〜５ｍｍ、特に０．５〜２ｍｍが好ましい。尚、ここでいう厚みは、顔用温熱具１Ａにおける発熱体２の存在領域の無荷重下における厚みである。
【００１６】
顔用温熱具１Ａを構成する発熱体２は、図３に示すように、扁平状であり、その平面視において、図２に示すように、両側部２ｃ，２ｄそれぞれの中央部２ｅに括れ部２１を有している。発熱体２の両側部２ｃ，２ｄそれぞれは、顔用温熱具１Ａにおいては、図２に示すように、略Ｓ字状のカーブを描くように形成されている。発熱体２は、第１実施形態の顔用温熱具１Ａにおいては、図２，図４に示すように、顔用温熱具１Ａの使用時に、使用者の目の下の部位Ａから使用者の目尻を含む部位Ｂに亘って配され、両側部２ｃ，２ｄそれぞれの括れ部２１が、使用者の頬骨Ｃに対応する部位に配されるのに適した形状である。具体的には、発熱体２は、第１実施形態においては、図２に示すように、略逆Ｌ字状の形状であり、顔用温熱具１Ａの使用時に、図４に示すように、Ｘ方向に使用者の目頭Ｅａから目尻Ｅｂに延在して使用者の目の下の部位Ａを覆い、Ｙ方向に使用者の目尻Ｅｂを越えて延在して使用者の目尻を含む部位Ｂを覆うように形成されている。
【００１７】
図２に示すように、発熱体２における使用者の目に近い側に配される側部２ｃは、その外縁２ｃ１が目の周囲に沿うように（図４参照）、中央部２ｅに括れ部２１を有しており、発熱体２における使用者の目に遠い側に配される側部２ｄは、その中央部２ｅにおいて、使用者の頬骨Ｃの頂部に向かって（図４参照）括れる括れ部２１を有する外縁２ｄ１を形成している。このような外縁２ｃ１，２ｄ１の形状を有する発熱体２は、図２，図４に示すように、側部２ｄ側の括れ部２１が、使用者の頬骨Ｃの頂部を避けるように配され、両側部２ｃ，２ｄそれぞれの括れ部２１の頂部間において、最も幅が狭くなっている。
尚、顔用温熱マスク１０の左側に配される顔用温熱具１Ａの有する発熱体２は、略Ｌ字状の形状である以外、上述した右側の略逆Ｌ字状の形状の発熱体２と同様である。
【００１８】
発熱体２は、Ｙ方向の長さが５０〜９５ｍｍであり、Ｘ方向の長さが４０〜８５ｍｍである。Ｙ方向の長さとは、Ｙ方向の長さが最も長い位置での長さのことを意味し、Ｘ方向の長さとは、Ｘ方向の長さが最も長い位置での長さのことを意味する。発熱体２は、最も狭い位置での幅（両側部２ｃ，２ｄそれぞれの括れ部２１の頂部間）が、２〜１０ｍｍであり、最も広い位置での幅が、２５〜５０ｍｍである。
【００１９】
発熱体２は、化学エネルギーを利用して発熱を起こさせる部位である。利用し得る化学エネルギーとしては、被酸化性金属の酸化反応により生じる酸化熱、酸とアルカリの中和熱、無機塩類（塩化カルシウム、塩化マグネシウム、酸化カルシウム、酸化マグネシウム、ゼオライト等）の水和熱などが挙げられる。これらのうち、取り扱い性が良好であることや、発熱量が比較的大きいこと、携帯やコンパクト化が容易であることから、第１実施形態においては、被酸化性金属の酸化反応により生じる酸化熱を用いている。
【００２０】
化学エネルギーを利用した発熱体２の具体的な構成は、化学エネルギーの種類に応じて適宜定められる。例えば被酸化性金属の酸化反応により生じる酸化熱を用いる場合には、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した組成物から構成される。この組成物には、更に保水剤（例えば、バーミキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させる。
【００２１】
発熱体２の上記構成成分において、触媒となる塩類に、例えば、塩化ナトリウムを用いる場合には、塩化ナトリウムの濃度と容量との制御により、発熱体２の発熱温度の最高温度に至るまでの時間（立ち上がり時間）を調整することができるため、触媒となる塩類には塩化ナトリウムを用いることが好ましい。具体的には、用いる塩化ナトリウムの容量を制御しても、発熱体２の最高温度自体を大きく変更することはできないが、用いる塩化ナトリウム溶液の濃度を、例えば、５〜１０％の範囲よりも、高い濃度にした場合、又は低い濃度にした場合のいずれも、発熱体２の最高温度が低下し、立ち上がり時間を遅くすることができる。尚、塩化ナトリウム溶液の濃度が３％以下と低すぎる場合には、酸化反応が途中で止まり、最高温度が低化してしまう。また、用いる塩化ナトリウム溶液の濃度が同じ場合には、塩化ナトリウム溶液の容量を多くすれば立ち上がり時間を遅くし、容量を少なくすれば立ち上がり時間を早くすることができる。尚、塩化ナトリウム溶液の容量が少なすぎる場合には、発熱に必要な水分が途中でなくなってしまい、発熱体の最高温度が低下してしまう。このような特性を考慮して、塩化ナトリウムの濃度と容量とを制御すれば、立ち上がり時間をコントロールし、最高温度を維持する時間をコントロールすることができ、使用感を向上させることができる。
【００２２】
上記構成成分を含有する発熱体２は、第１実施形態においては、発熱シートの形態となっている。発熱体２が、発熱シートの形態になっているため、使用中に被酸化性金属等の偏りを防止でき、均一な発熱を行うことができる。発熱シートとしては、湿式抄造により得られたシート状物や、発熱粉体を紙等で挟持してなる積層体等が挙げられる。そのような発熱シートは、例えば本出願人の先の出願に係る特開２００３−１０２７６１号公報に記載の湿式抄造法や、ダイコーターを用いたエクストルージョン法を用いて製造することができる。
【００２３】
顔用温熱具１Ａを構成する被覆材３は、図３に示すように、発熱体２の肌対向側の一面２ａ及び非肌対向側の他面２ｂを含む全体を被覆している。被覆材３は、図３に示すように、肌対向側の一面３ａを構成するシート材と、非肌対向側の他面３ｂを構成するシート材とから形成されている。肌対向側の一面３ａを構成する被覆材３の形状と、非肌対向側の他面３ｂを構成する被覆材３の形状とは、顔用温熱具１Ａの形状を形成するように、丸みを帯びた略逆Ｌ字状の形状である。
【００２４】
肌対向側の一面３ａを構成する被覆材３は、後述する薬剤保持用シート４に保持された薬剤が発熱体２に浸透しないように、非透水性のシート材であることが好ましい。肌対向側の一面３ａを構成する被覆材３が、非透水性のシート材であったとしても、非通気性である必要はなく、用途等に応じて、通気性を有していてもよい。その場合の通気度（ＪＩＳ  Ｐ８１１７  Ｂ型で規定、以下、通気度というときには、この方法の測定値を言う）としては、好ましくは５,０００〜１００，０００ｓｅｃ／１００ｃｃ、更に好ましくは１０，０００〜４０，０００ｓｅｃ／１００ｃｃから適宜選定される。肌対向側の一面３ａを構成する被覆材３が、非透水性のシート材である場合には、メルトブローン不織布や、ＰＥＴ、ＰＰ、ＰＥ等の熱可塑性樹脂からなるフィルムが用いられる。
【００２５】
非肌対向側の他面３ｂを構成する被覆材３は、他面３ｂを透過してきた空気（酸素）が、被覆材３の内部に収容されている発熱体２を構成する被酸化性金属と反応し、それによって発熱が起こる観点から、通気性のシート材であることが好ましい。その場合の通気度（ＪＩＳ  Ｐ８１１７で規定）としては、好ましくは５００〜６０，０００ｓｅｃ／１００ｃｃ、更に好ましくは１５００〜２０，０００ｓｅｃ／１００ｃｃから適宜選定される。通気性のシート材としては、各種不織布、紙、または熱可塑性樹脂からなるフィルムがあげられ、その中でもＰＥＴ、ＰＰ、ＰＥ等の熱可塑性樹脂と無機フィラーとを溶融混練して押し出した溶融物をフィルム状に成形し、成形されたフィルムを一軸又は二軸延伸することで製造されフィルムが好ましく用いられる。
【００２６】
顔用温熱具１Ａを構成する薬剤保持用シート４は、図３に示すように、肌対向側の一面３ａを構成する被覆材３の外面上に配されている。薬剤保持用シート４は、第１実施形態においては、肌対向側の一面３ａ及び非肌対向側の他面３ｂを構成する被覆材３と同形同大である。薬剤保持用シート４は、使用時に使用者が供給する薬剤を保持するシートである。薬剤保持用シート４は、図３に示すように、第１実施形態においては、肌対向側の一面３ａを構成する被覆材３の外面上にラミネートされている。薬剤保持用シート４と被覆材３とは、全体的に接合されていてもよく、部分的に接合されていてもよい。また、前述の環状接合部５でのみ接合されていてもよい。
【００２７】
薬剤保持用シート４としては、柔軟性や伸縮性を有する材料からなる繊維シートを用いることが、使用者の肌に優しい観点から好ましい。そのような材料としては、各種不織布、例えばエアスルー不織布、スパンボンド不織布、スパンレース不織布、メルトブローン不織布、これらの不織布の複合材料、これらの不織布とフィルムとの複合材料などが挙げられる。薬剤保持用シート４の坪量は、使用者が供給する薬剤の供給量や取り扱い性等を考慮して決定され、例えば２０〜２００ｇ／ｍ2、特に４０〜１２０ｇ／ｍ2であることが好ましい。
【００２８】
なお、液保持性の繊維層を有する非透水性の複合シートの場合には、肌対向側の一面３ａを構成する被覆材３と薬剤保持用シート４とをこの複合シート１枚で兼用して使用される。
【００２９】
顔用温熱具１Ａの使用時に、使用者により薬剤保持用シート４に供給される薬剤としては、流動性を有しているものであればその剤状は特に限定されず、水系の液体、乳化物、ゲル、クリーム、ワセリン等種々のものが挙げられる。薬剤の組成も特に限定されず、任意のものを使用できる。また薬剤は水性であっても良く、油性であっても良い。薬剤の含有成分としては、例えば、経皮吸収されて真皮引き締め、美白、血行促進、脂肪分解促進、抗炎症等の効果を発現する物質が挙げられる。具体的には、植物抽出物、動物抽出物、グアニジン誘導体、カテコールアミン類、アミノ酸、ビタミン類、ホルモン、有機酸、天然抽出のスフィンゴシン誘導体、合成セラミド類似体等が挙げられる。
【００３０】
上述したように、第１実施形態の顔用温熱具１Ａは、図１に示すように、顔用温熱マスク１０を構成するマスク本体１１の使用者の肌当接面１１ａ上に、且つ後述するマスク本体１１の使用者の両目に対応する開口部１２それぞれの開口周縁に沿うように配されて使用される。顔用温熱具１Ａは、発熱体２の発熱に必要な酸素の供給を妨げず、熱伝達も妨げず、熱による接着手段の物性変化を防止する観点から、非肌対向側の他面３ｂを構成する被覆材３における未接合部６において、熱融着や接着剤等の公知の接合手段によってマスク本体１１に固定されていることが好ましい。
【００３１】
マスク本体１１は、略扁平状の１枚のシート材から形成されており、使用時に使用者の両目の周囲を覆うに足る形状及び大きさを有している。より具体的には、マスク本体１１は、図１に示すように、Ｙ方向において、顔の額（眉）から鼻尖にかけての部位を被覆し、Ｘ方向において、両頬間の部位を被覆するような大きさ及び形状をしている（図４参照）。使用者の両目それぞれに対応する部分は切り抜かれて開口部１２，１２が形成されており、また、使用者の鼻に対応する部分は切り欠かれて切り欠き部１３が形成されている。扁平状のマスク本体１１は、使用者の肌に当接する肌当接面１１ａ及びそれと反対側に位置する非肌当接面１１ｂを有している。
【００３２】
マスク本体１１は、使用時に耳を掛ける一対の耳掛け部１４，１４を有している。耳掛け部１４は、マスク本体１１に配される顔用温熱具１ＡよりもＸ方向外方に延出する延出部において、使用者の耳の位置に対応する部分を切り抜いて形成されている。耳掛け部１４の切り抜いた開口部に耳を通すことにより、顔用温熱マスク１０を、両目の周囲を覆うように、使用者の顔面上に固定することができる。
【００３３】
マスク本体１１は、使用者の顔面上にフィットする観点から、Ｘ方向に伸長性を有していることが好ましい。ここで、マスク本体１１が伸長性を有しているとは、マスク本体１１全体が伸長性を有している場合、及びマスク本体１１の一部（例えば、耳掛け部１４）のみが伸長性を有している場合の両方の場合を含む。
【００３４】
マスク本体１１の厚み（無荷重下における厚み）は、特に制限されないが、良好な使用感を得る観点からは薄いことが好ましく、０．３〜５ｍｍ、特に０．５〜２ｍｍが好ましい。
【００３５】
マスク本体１１を構成するシート材としては、通気性及び伸長性を有しているものが好ましく、特に通気性及び伸縮性を有しているものが好ましい。具体的には、例えばスパンレース不織布、ニードルパンチ不織布、エアスルー不織布、伸縮性を有するスパンボンド不織布等が挙げられる。マスク本体１１を構成するシート材の坪量は、肌触りの観点から、５０〜３００ｇ／ｍ2であることが好ましい。
【００３６】
以上のように構成された第１実施形態の顔用温熱具１Ａを備える顔用温熱マスク１０は、使用前は、一対の顔用温熱具１Ａ，１Ａが互いに重なるように、中心線ＣＬにて二つ折りされた状態で、酸素バリア性を有する包装材（図示せず）に包装されており、顔用温熱具１Ａの発熱体２が空気中の酸素と接触しないようになっている。酸素バリア性の材料としては、例えば、その酸素透過係数（ＡＳＴＭ  Ｄ３９８５）が１０ｃｍ3・ｍｍ／（ｍ2・ｄａｙ・ＭＰａ）以下、特に２ｃｍ3・ｍｍ／（ｍ2・ｄａｙ・ＭＰａ）以下のものが好ましい。具体的には、エチレン−ビニルアルコール共重合体やポリアクリロニトリル等のフィルムや、そのようなフィルムにセラミック若しくはアルミニウム等を蒸着したフィルムが挙げられる。
【００３７】
以上の構成を有する第１実施形態の顔用温熱具１Ａの使用方法について説明する。
顔用温熱具１Ａを備える顔用温熱マスク１０を、酸素バリア性を有する包装材から取りだし、二つ折りされた顔用温熱マスク１０を開く。次に、使用者が、使用者自ら選んだ薬剤を、一対の顔用温熱具１Ａ，１Ａそれぞれの薬剤保持用シート４に供給する。次に、一対の顔用温熱具１Ａ，１Ａそれぞれの薬剤保持用シート４が、使用者の肌に当接するように、顔用温熱マスク１０の耳掛け部１４の切り抜いた開口部に耳を通すことにより、顔用温熱マスク１０を、両目の周囲を覆うように、使用者の顔面上に固定して使用する。
【００３８】
第１実施形態の顔用温熱具１Ａは、図１に示すように、マスク本体１１の肌当接面１１ａ上における使用者の両目それぞれの目元に対応する部分Ｒであって、マスク本体１１の開口部１２それぞれの開口周縁に沿うように配されている。従って、耳掛け部１４により、顔用温熱マスク１０を、両目の周囲を覆うように、使用者の顔面上に固定すると、顔用温熱具１Ａの発熱体２は、図４に示すように、顔用温熱具１Ａの使用時に、使用者の目の下の部位Ａから使用者の目尻を含む部位Ｂに亘って配され、両側部２ｃ，２ｄそれぞれの括れ部２１が、使用者の頬骨Ｃに対応する部位に配される。
【００３９】
以上の構成を有する第１実施形態の顔用温熱具１Ａの作用効果について説明する。
顔用温熱具１Ａは、発熱体２が連続した１枚の発熱シートの形態となっているので、発熱体の量にムラが少なく、発熱に必要な水分も連続した発熱シートの方が、均一に分散しやすいため、発熱量にバラツキが生じ難く、均一な温熱を、使用者の目元に付与することができる。また、第１実施形態においては、上述したように、顔用温熱具１Ａの使用時には、図４に示すように、薬剤が保持された薬剤保持用シート４が使用者の目元に当接されて使用されるので、発熱体２から付与される熱が薬剤保持用シート４に伝わって、薬剤保持用シート４に保持されている薬剤の有効成分が使用者の目元の皮膚に浸透し易くなる。また発生した熱が使用者の肌にも伝わって毛穴が開き、それによっても薬剤保持用シート４に保持されている薬剤の有効成分が使用者の肌に浸透し易くなる。
【００４０】
また、顔用温熱具１Ａは、使用時には、図４に示すように、発熱体２の両側部２ｃ，２ｄそれぞれの括れ部２１が、使用者の頬骨Ｃに対応する部位に配される。発熱体２は発熱シートの形態となっているので、一般的に剛性が高くなる。しかし、顔用温熱具１Ａは、使用時には、図４に示すように、発熱体２の最も狭い位置（両側部２ｃ，２ｄそれぞれの括れ部２１の頂部間）が使用者の頬骨Ｃに対応する部位に配されるので、両側部２ｃ，２ｄの括れ部２１において、曲がったりねじったりし易く、使用者の目元に更にフィットし易く、使用感を更に高めることができる。
【００４１】
次に、本発明の第２実施形態の顔用温熱具１Ｂについて、図５〜図８に基づいて説明する。
第２実施形態の顔用温熱具１Ｂについては、第１実施形態の顔用温熱具１Ａと異なる点について説明する。特に説明しない点は、顔用温熱具１Ａと同様であり、顔用温熱具１Ａの説明が適宜適用される。
【００４２】
顔用温熱具１Ｂの備える発熱体２は、顔用温熱具１Ａの備える発熱体２の形状と異なっている。顔用温熱具１Ｂの備える発熱体２は、図５に示すように、発熱体２の一方の側部２ｆにおける外縁２ｆ１と、他方の側部２ｇにおける外縁２ｇ１とが同様の形状であり、第２実施形態においては、同一形状である。具体的には、図５に示すように、顔用温熱具１Ｂの使用時に、発熱体２における使用者の目に近い側に配される側部２ｆは、その外縁２ｆ１が目の周囲に沿って延在し、更に鼻に沿って延在するように形成されており（図８参照）、中央部２ｈに括れ部２１を有している。発熱体２における使用者の目に遠い側に配される側部２ｇは、側部２ｆの外縁２ｆ１の形状と同一形状になるように、その中央部２ｈにおいて括れる括れ部２１を有する外縁２ｇ１を形成している。また、顔用温熱具１Ｂの備える発熱体２は、Ｙ方向の上下端部２ｉ，２ｊの外縁２ｉ１，２ｊ１がＸ方向に平行に形成されている。
尚、図８に示す左側に配される顔用温熱具１Ｂの有する発熱体２は、上述した右側の顔用温熱具１Ｂの有する発熱体２と対称に形成されている。
【００４３】
一方の側部２ｆにおける外縁２ｆ１及び他方の側部２ｇにおける外縁２ｇ１が同一形状である発熱体２は、例えば、周方向に一定間隔を置いて固定され、且つ所定形状に形成された複数個のカッター刃を有するカッターロールと、フラットロールとを用いて連続して製造することができる。複数個のカッター刃それぞれの形状は、一方の側部２ｆにおける外縁２ｆ１と、搬送方向（ｘ方向）に長い帯状の発熱体原反２０を搬送方向（ｘ方向）に二等分する線Ｌに対して外縁２ｆ１を対称に配置した外縁２ｆ１’との連続線に対応する形状である。また、前記一定間隔は、発熱体２のＸ方向（幅方向）の長さと一致している。このようなカッター刃を有するカッターロールと、フラットロールとを用いて、顔用温熱具１Ｂの備える発熱体２を製造する方法を具体的に説明すると、図７に示すように、Ｘ方向と同方向の搬送方向（ｘ方向）に長い帯状の発熱体原反２０を、上述したカッター刃を有するカッターロールとフラットロールとの間に供給してカットし、その後、二等分する線Ｌ上に沿って切断することによって、顔用温熱具１Ｂの備える発熱体２を連続して製造することができる。このような方法によれば、帯状の発熱体原反２０から、無駄な部分を極力形成せずに、効率よく顔用温熱具１Ｂの備える発熱体２を製造することができる。
【００４４】
第２実施形態の顔用温熱具１Ｂは、図６に示すように、発熱体２の発熱に必要な酸素の供給を妨げず、熱伝達も妨げず、熱による接着手段の物性変化を防止する観点から、肌対向側の一面３ａを構成する被覆材３における未接合部６に、粘着剤７を有している。粘着剤７は、図８に示すように、使用者の顔に固定する固定手段としての働きを有するものである。粘着剤７としては、例えば、ホットメルト接着剤を用いることができる。ホットメルト接着剤は、一般的に、粘着基剤、粘着付与樹脂及び軟化剤を構成成分として含有している。
【００４５】
以上のように構成された第２実施形態の顔用温熱具１Ｂは、使用前は、粘着剤７上に剥離紙が配された状態で、酸素バリア性を有する包装材（図示せず）に包装されている。
【００４６】
以上の構成を有する第２実施形態の顔用温熱具１Ｂの使用方法について説明する。
顔用温熱具１Ｂを、酸素バリア性を有する包装材から取りだし、粘着剤７上の剥離紙を剥がす。次に、使用者が、使用者自ら選んだ薬剤を、顔用温熱具１Ｂの薬剤保持用シート４に供給する。次に、顔用温熱具１Ｂの薬剤保持用シート４が、使用者の肌に当接するように、粘着剤７を介して顔用温熱具１Ｂを使用者の顔面上に固定して使用する。その際、顔用温熱具１Ｂの発熱体２は、図８に示すように、顔用温熱具１Ｂの使用時に、使用者の目の下の部位Ａから使用者の目尻を含む部位Ｂに亘って配され、両側部２ｆ，２ｇそれぞれの括れ部２１が、使用者の頬骨Ｃの頂部に対応する部位に配される。
【００４７】
以上の構成を有する第２実施形態の顔用温熱具１Ｂの作用効果について説明する。
第２実施形態の顔用温熱具１Ｂの効果については、第１実施形態の顔用温熱具１Ａの効果と異なる点について説明する。特に説明しない点は、顔用温熱具１Ａの効果と同様であり、顔用温熱具１Ａの効果の説明が適宜適用される。
【００４８】
第２実施形態の顔用温熱具１Ｂは、図８に示すように、使用者の目元に直接固定して使用されるので、使用者は、鏡を見ながら、目元近傍、又はこめかみ近傍など、使用者が気になる部位に顔用温熱具１Ｂを接近させて固定できる。従って、使用者の顔形状や所望の部位に応じて固定して、かさつき、小じわ、くま、くすみを改善できる。また、耳かけを使用していないので、装着時の耳部への負担がない。
【００４９】
第２実施形態の顔用温熱具１Ｂは、図５に示すように、一方の側部２ｆにおける外縁２ｆ１及び他方の側部２ｇにおける外縁２ｇ１が同一形状である発熱体２を備えているので、括れ部２１は滑らかにくびれが成形でき、括れ部の一部が極端に細く括れることを防止し、発熱に必要な水分の分散性の悪化を防止することができ、また、製造時の発熱体のハンドリング性が良好にできる。また、括れ部が滑らかに成形されているので、顔への装着時に無理な力が入っても顔用温熱具内で発熱体本体の切れが発生しない。
【００５０】
本発明の顔用温熱具は、上述の第１，第２実施形態の顔用温熱具に何ら制限されるものではなく、適宜変更可能である。また、上述の第１，第２実施形態の顔用温熱具における各構成要件は、本発明の趣旨を損なわない範囲で、適宜組み合わせて実施できる。
【００５１】
例えば、上述の第１，第２実施形態の顔用温熱具１Ａ，１Ｂにおいては、図２，図５に示すように、肌対向側の一面３ａを構成する被覆材３、非肌対向側の他面３ｂを構成する被覆材３、及び薬剤保持用シート４は、同形同大であるが、同形同大でなくてもよい。
【００５２】
また、上述の第１，第２実施形態の顔用温熱具１Ａ，１Ｂは、図２，図５に示すように、何れも薬剤保持用シート４を備えているが、備えていなくてもよい。薬剤保持用シート４を備えていない場合には、使用者が顔に予め美容液を塗っておき、その上に顔用温熱具を固定して使用する。このように使用する場合には、肌対向側の一面３ａを構成する被覆材３側から水蒸気の発生が可能になっていることが好ましい。このように水蒸気の発生を可能とするためには、（イ）発熱体が多量の水を含有していることを前提として、（ロ）発熱体を構成する各成分の割合を調節する方法、（ハ）発熱体を包囲する一面３ａ及び他面３ｂそれぞれを構成する被覆材の通気度を調節する方法、（ニ）（ロ）と（ハ）を併用する方法等が挙げられる。
【００５３】
また、上述の第１，第２実施形態の顔用温熱具１Ａ，１Ｂは、図４，図８に示すように、目元に配して使用する目元用温熱具であるが、本発明の顔用温熱具は目元用に限定されず、顔面の所望の部位に熱を付与するように適宜設計可能であり、例えば、口元に配して口元のしわやほうれい線の改善用であったり、小顔になるために顎に配して使用する顎用温熱具であってもよい。
【００５４】
更に、本発明の実施形態として、図９、図１０に示す実施形態を採用してもよい。
【符号の説明】
【００５５】
１Ａ，１Ｂ  顔用温熱具
２  発熱体
２ａ  発熱体の肌対向側の一面，２ｂ  発熱体の非肌対向側の他面
２ｃ，２ｆ  発熱体の目に近い側に配される側部
２ｃ１，２ｆ１  外縁
２ｄ，２ｇ  発熱体の目に遠い側に配される側部
２ｄ１，２ｇ１  外縁
２ｅ，２ｈ  発熱体の中央部
２ｉ  発熱体の上端部
２ｉ１  外縁
２ｊ  発熱体の下端部
２ｊ１  外縁
２１  括れ部
３  被覆材
３ａ  被覆材の肌対向側の一面
３ｂ  被覆材の非肌対向側の他面
４  薬剤保持用シート
５  環状接合部
６  未接合部
７  粘着剤
１０  顔用温熱マスク
１１  マスク本体
１１ａ  マスク本体の肌当接面，１１ｂ  マスク本体の非肌当接面
１２  開口部
１３  切り欠き部
１４  耳掛け部
２０  発熱体の原反
【図１】
0005620185.tif 000002
【図２】
0005620185.tif 000003
【図３】
0005620185.tif 000004
【図４】
0005620185.tif 000005
【図５】
0005620185.tif 000006
【図６】
0005620185.tif 000007
【図７】
0005620185.tif 000008
【図８】
0005620185.tif 000009
【図９】
0005620185.tif 000010
【図１０】
0005620185.tif 000011